【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を可変表示して表示結果を導出表示する可変表示装置に特定表示結果が導出表示されたときに、遊技者にとって有利な特定遊技状態に制御する遊技機であって、
前記可変表示が開始されてから表示結果が導出表示されるまでに一旦特定の仮停止態様を仮停止させた後、前記可変表示を再度実行する再可変表示を所定回実行する再可変表示実行手段と、
前記再可変表示が実行されることを予告する再可変表示予告手段とを備え、
前記再可変表示実行手段により実行される前記再可変表示は、前記特定の仮停止態様とは異なる所定態様を表示してから、該所定態様を変更表示することにより前記特定の仮停止態様を仮停止させた後、前記可変表示を再度実行する特定再可変表示を含む、
ことを特徴とする遊技機。
【請求項２】
遊技の進行を制御する遊技制御手段を備え、
前記遊技制御手段は、
前記可変表示の開始前に判定を行う判定手段と、
前記判定手段の判定結果を特定可能な情報を送信する送信手段とを含み、
前記遊技制御手段からの情報に基づいて特定演出を実行する演出実行手段をさらに備える、
ことを特徴とする請求項１に記載の遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、各々が識別可能な複数種類の識別情報を可変表示して表示結果を導出表示する可変表示装置に特定表示結果が導出表示されたときに、遊技者にとって有利な特定遊技状態に制御する遊技機に関する。
【手続補正３】
【補正対象書類名】明細書
【補正対象項目名】００１０
【補正方法】変更
【補正の内容】
【００１０】
この発明は上記実状に鑑みてなされたものであり、遊技の興趣を向上させることができる遊技機を提供することを目的とする。
【手続補正４】
【補正対象書類名】明細書
【補正対象項目名】００１１
【補正方法】変更
【補正の内容】
【００１１】
（１−１）上記目的を達成するため、本願の請求項に記載の遊技機は、各々が識別可能な複数種類の識別情報（例えば飾り図柄など）を可変表示して表示結果を導出表示する可変表示装置（例えば画像表示装置５など）に特定表示結果（例えば大当り組合せの最終停止図柄など）が導出表示されたときに、遊技者にとって有利な特定遊技状態（例えば大当り遊技状態など）に制御する遊技機（例えばパチンコ遊技機１など）であって、前記可変表示が開始されてから表示結果が導出表示されるまでに一旦特定の仮停止態様を仮停止させた後、前記可変表示を再度実行する再可変表示を所定回実行する再可変表示実行手段（例えば演出制御用ＣＰＵ１２０が「擬似連」を含む変動パターンを示す変動パターンコマンドを受信した後、ステップＳ４５６の擬似連時仮停止図柄決定処理にて決定した仮停止図柄やステップＳ４３６にて決定した演出制御パターンなどに基づき、ステップＳ１５２にて飾り図柄変動中処理を実行する部分など）と、前記再可変表示が実行されることを予告する再可変表示予告手段とを備え、前記再可変表示実行手段により実行される前記再可変表示は、前記特定の仮停止態様とは異なる所定態様を表示してから、該所定態様を変更表示することにより前記特定の仮停止態様を仮停止させた後、前記可変表示を再度実行する特定再可変表示を含む。
このような構成によれば、遊技の興趣を向上させることができる。
【手続補正５】
【補正対象書類名】明細書
【補正対象項目名】００１２
【補正方法】変更
【補正の内容】
【００１２】
（１−２）上記（１−１）の遊技機において、遊技の進行を制御する遊技制御手段を備え、前記遊技制御手段は、前記可変表示の開始前に判定を行う判定手段と、前記判定手段の判定結果を特定可能な情報を送信する送信手段とを含み、前記遊技制御手段からの情報に基づいて特定演出を実行する演出実行手段をさらに備えるように構成されてもよい。
このような構成においては、遊技の興趣を向上させることができる。
【手続補正６】
【補正対象書類名】明細書
【補正対象項目名】００１３
【補正方法】変更
【補正の内容】
【００１３】
（２−１）あるいは、始動条件（例えばステップＳ２０１におけるＹｅｓの判定とステップＳ２０２におけるＮｏの判定に基づき、ステップＳ２０３〜Ｓ２１０の処理が実行されたことなど）が成立した後に開始条件（例えばステップＳ２５１にてＮｏと判定されたことなど）が成立したことに基づいて、各々が識別可能な複数種類の識別情報（例えば飾り図柄など）を可変表示して表示結果を導出表示する可変表示装置（例えば画像表示装置５など）に特定表示結果（例えば大当り組合せの最終停止図柄など）が導出表示されたときに、遊技者にとって有利な特定遊技状態（例えば大当り遊技状態など）に制御する遊技機（例えばパチンコ遊技機１など）であって、前記始動条件は成立したが前記開始条件は成立していない可変表示を保留記憶として記憶する保留記憶手段（例えば特図保留記憶部１５１など）と、前記保留記憶手段に記憶される保留記憶に基づいて、前記特定遊技状態に制御されるか否かを、前記開始条件が成立する以前に判定する事前判定手段（例えばＣＰＵ１０３がステップＳ２０６にて入賞時特図判定処理を実行する部分など）と、前記開始条件の成立に基づいて、前記識別情報の可変表示パターンを複数種類のいずれかに決定する可変表示パターン決定手段（例えばＣＰＵ１０３がステップＳ１１１にて変動パターン設定処理を実行する部分など）と、前記可変表示パターン決定手段の決定結果に対応する演出動作を実行する演出実行手段（例えば演出制御用ＣＰＵ１２０がステップＳ３０６の演出制御プロセス処理を実行する部分など）とを備え、前記演出実行手段は、前記可変表示が開始されてから表示結果が導出されるまでに一旦特定の仮停止態様を仮停止させた後、前記可変表示を再度実行する再可変表示（例えば「擬似連」の特定演出など）を所定回実行する再可変表示実行手段（例えば演出制御用ＣＰＵ１２０が「擬似連」を含む変動パターンを示す変動パターンコマンドを受信した後、ステップＳ４５６の擬似連時仮停止図柄決定処理にて決定した仮停止図柄やステップＳ４３６にて決定した演出制御パターンなどに基づき、ステップＳ１５２にて飾り図柄変動中処理を実行する部分など）と、前記再可変表示の進行に伴って再可変表示演出を実行する再可変表示演出実行手段（例えば演出制御用ＣＰＵ１２０がステップＳ５０２にて決定した演出コードなどに基づき、ステップＳ１５２にて飾り図柄変動中処理を実行する部分など）と、前記再可変表示を実行可能な可変表示パターンでの識別情報の可変表示中に成立した前記始動条件に対応して前記事前判定手段により前記特定遊技状態に制御される旨の判定がなされたことに基づいて、当該識別情報の可変表示が終了した後に実行される可変表示においても、前記再可変表示演出実行手段によって実行された前記再可変表示演出を継続させる演出継続実行手段（例えば演出制御用ＣＰＵ１２０がステップＳ５０４の擬似連継続演出設定処理にて決定した演出コードなどに基づき、ステップＳ１５２にて飾り図柄変動中処理を実行する部分など）とを含んでもよい。
このような構成によれば、事前判定手段は、保留記憶手段に記憶される保留記憶に基づいて、特定遊技状態に制御されるか否かを、開始条件が成立する以前に判定する。そして、再可変表示を実行可能な識別情報の可変表示中に成立した始動条件に対応して事前判定手段により特定遊技状態に制御される旨の判定がなされたことに基づいて、その識別情報の可変表示が終了した後に実行される可変表示においても、演出継続実行手段により、再可変表示演出実行手段によって実行された再可変表示演出を継続させる。これにより、再可変表示を実行可能な識別情報の可変表示が終了した後でも、識別情報の可変表示結果が特定表示結果となって特定遊技状態に制御されることに対する遊技者の期待感を高め、遊技の興趣を向上させることができる。
【手続補正７】
【補正対象書類名】明細書
【補正対象項目名】００１４
【補正方法】変更
【補正の内容】
【００１４】
（２−２）上記（２−１）の遊技機においては、前記保留記憶手段と、前記事前判定手段と、前記可変表示パターン決定手段とを含み、遊技の進行を制御する遊技制御手段（例えば主基板１１に搭載された遊技制御用マイクロコンピュータ１００のＲＯＭ１０１、ＲＡＭ１０２、ＣＰＵ１０３など）と、前記演出実行手段を含み、前記可変表示装置の表示状態を制御する演出制御手段（例えば演出制御基板１２に搭載された演出制御用ＣＰＵ１２０、ＲＯＭ１２１、ＲＡＭ１２２、表示制御部１２３など）とを備え、前記遊技制御手段は、前記可変表示パターン決定手段によって決定された可変表示パターンを特定可能な可変表示パターン情報を、前記演出制御手段に対して送信する送信手段（例えばＣＰＵ１０３がステップＳ２７６での送信設定に基づきステップＳ１７にてコマンド制御処理を実行する部分など）を含み、前記演出制御手段は、前記遊技制御手段からの前記可変表示パターン情報に基づき、前記再可変表示演出実行手段によって実行する前記再可変表示演出を、複数種類のいずれかに決定する再可変表示演出決定手段（例えば演出制御用ＣＰＵ１２０がステップＳ５０２にて擬似連時演出決定テーブル１７０を参照して演出コードを決定する部分など）と、前記演出継続実行手段によって継続させる前記再可変表示演出を、前記再可変表示演出決定手段によって決定された前記再可変表示演出に対応する演出となるように決定する継続演出決定手段（例えば演出制御用ＣＰＵ１２０がステップＳ５５４にて擬似連継続演出開始テーブル１７３Ａを参照して演出コードを決定する部分や、ステップＳ５５９にて擬似連継続演出連続設定テーブル１７３Ｂを参照して演出コードを決定する部分、あるいは、ステップＳ５６１〜Ｓ５６４の処理を実行する部分など）とを含んでもよい。
このような構成においては、遊技の進行を制御する遊技制御手段とは異なる演出制御手段が、再可変表示演出を複数種類のいずれかに決定する再可変表示演出決定手段と、継続させる再可変表示演出を再可変表示演出決定手段によって決定された再可変表示演出に対応する演出となるように決定する継続演出決定手段とを含んでいる。これにより、遊技制御手段における制御負担を増大させることなく、同一種類の再可変表示演出を継続させて、遊技の興趣を向上させることができる。
【手続補正８】
【補正対象書類名】明細書
【補正対象項目名】００１５
【補正方法】変更
【補正の内容】
【００１５】
（２−３）上記（２−２）の遊技機において、前記送信手段は、前記始動条件が成立したことを特定可能な始動指定情報として、当該始動条件の成立に基づく前記事前判定手段の判定結果を特定可能な情報を、前記演出制御手段に対して送信し（例えばＣＰＵ１０３がステップＳ２０９での送信設定に基づきステップＳ１７にてコマンド制御処理を実行する部分など）、前記演出制御手段は、前記送信手段からの始動指定情報に基づき、前記演出継続実行手段により前記再可変表示演出を継続させるか否かを決定する再可変表示演出継続決定手段（例えば演出制御用ＣＰＵ１２０がステップＳ４０３〜Ｓ４１３の処理を実行した後に、ステップＳ５５３の処理を実行する部分など）を含んでもよい。
【手続補正９】
【補正対象書類名】明細書
【補正対象項目名】００１６
【補正方法】変更
【補正の内容】
【００１６】
このような構成においては、始動条件が成立したことを特定可能な始動指定情報は事前判定手段の判定結果を特定可能な情報であり、再可変表示演出継続決定手段が、この始動指定情報に基づき、再可変表示演出を継続させるか否かを決定する。これにより、事前判定手段の判定結果を示す専用の情報を送信する場合に比べて、演出制御手段に対して送信するために予め用意する情報の種類を削減することができる。
【手続補正１０】
【補正対象書類名】明細書
【補正対象項目名】００１７
【補正方法】変更
【補正の内容】
【００１７】
（２−４）上記（２−１）〜（２−３）のいずれかの遊技機において、前記再可変表示演出実行手段により実行される前記再可変表示は、前記特定の仮停止態様とは異なる所定態様を表示してから、該所定態様を変更表示することにより前記特定の仮停止態様を仮停止させた後、前記可変表示を再度実行する特定再可変表示を含んでもよい（例えば演出制御用ＣＰＵ１２０がステップＳ４７２におけるＹｅｓの判定に基づきステップＳ４７８〜Ｓ４８７の処理を実行した後に、ステップＳ１５２にて飾り図柄変動中処理を実行する部分など）。
【手続補正１１】
【補正対象書類名】明細書
【補正対象項目名】００１８
【補正方法】変更
【補正の内容】
【００１８】
このような構成においては、特定の仮停止態様とは異なる所定態様を表示してから、その所定態様を変更表示することにより特定の仮停止態様を仮停止させた後、可変表示を再度実行する特定再可変表示が実行可能となる。これにより、表示している所定態様を変更表示したことで、再可変表示が実行されることに対する期待感を高め、遊技の興趣を向上させることができる。
【手続補正１２】
【補正対象書類名】明細書
【補正対象項目名】００１９
【補正方法】変更
【補正の内容】
【００１９】
（２−５）上記（２−１）〜（２−４）のいずれかの遊技機において、前記演出実行手段は、前記可変表示が開始されてから前記特定の仮停止態様を仮停止していないときに、前記再可変表示が実行されるか否かを予告する再可変表示継続予告手段を含んでもよい（例えば演出制御用ＣＰＵ１２０がステップＳ５０３にて擬似連予告設定処理を実行した後に、ステップＳ１５２にて飾り図柄変動中処理を実行する部分など）。
【手続補正１３】
【補正対象書類名】明細書
【補正対象項目名】００２０
【補正方法】変更
【補正の内容】
【００２０】
このような構成においては、特定の仮停止態様を仮停止していないときに、再可変表示継続予告手段により、再可変表示が実行されるか否かが予告される。これにより、再可変表示が実行されることに対する期待感を高め、遊技の興趣を向上させることができる。
【手続補正１４】
【補正対象書類名】明細書
【補正対象項目名】００２１
【補正方法】変更
【補正の内容】
【００２１】
（２−６）上記（２−１）〜（２−５）のいずれかの遊技機においては、遊技者にとって有利な第１状態（例えば開放状態など）と遊技者にとって不利な第２状態（例えば閉鎖状態など）とに変化する可変入賞装置（例えば特別可変入賞球装置７など）と、前記特定遊技状態として、前記可変入賞装置を第１期間（例えば２９秒など）が経過するまで前記第１状態に変化させる回数が第１回数（例えば「１５」など）となる第１特定遊技状態（例えば１５ラウンド大当り状態など）に制御する第１特定遊技状態制御手段（例えばＣＰＵ１０３がステップＳ２６０にて大当り種別を「通常」または「確変」に決定した後、ステップＳ１１４〜Ｓ１１７の処理を実行する部分など）と、前記特定遊技状態として、前記可変入賞装置を、前記第１期間よりも短い第２期間（例えば０．５秒など）、および、前記第１回数よりも少ない第２回数（例えば「２」など）のうち、少なくともいずれかで前記第１状態に変化させる第２特定遊技状態（例えば２ラウンド大当り状態など）に制御する第２特定遊技状態制御手段（例えばＣＰＵ１０３がステップＳ２６０にて大当り種別を「突確」に決定した後、ステップＳ１１４〜Ｓ１１７の処理を実行する部分など）と、前記第２特定遊技状態が終了した後に、前記可変表示の表示結果が前記特定表示結果となる確率が前記特定遊技状態とは異なる通常遊技状態時よりも高い高確率状態に制御する遊技状態制御手段（例えばＣＰＵ１０３がステップＳ２６０にて大当り種別を「突確」に決定したことに基づき、ステップＳ１１７にて大当り終了処理を実行した後に、ステップＳ２５５の処理を実行する部分など）とを備え、前記事前判定手段は、さらに前記特定遊技状態として前記第１特定遊技状態と前記第２特定遊技状態のいずれに制御されるかを判定し（例えばＣＰＵ１０３がステップＳ２２５の処理を実行する部分など）、前記演出継続実行手段は、前記再可変表示を実行可能な識別情報の可変表示中に成立した前記始動条件に対応して前記事前判定手段により前記第１特定遊技状態に制御される旨の判定がなされたことに基づいて、前記再可変表示演出を継続させ（例えば演出制御用ＣＰＵ１２０がステップＳ５５３におけるＮｏの判定に基づき、ステップＳ５５４〜Ｓ５５７の処理を実行した後に、ステップＳ１５２にて飾り図柄変動中処理を実行する部分など）、前記演出実行手段は、前記再可変表示を実行可能な識別情報の可変表示中に成立した前記始動条件に対応して前記事前判定手段により前記第２特定遊技状態に制御される旨の判定がなされたことに基づいて、当該識別情報の可変表示が終了した後に実行される可変表示において前記再可変表示演出とは異なる所定の演出を実行する特別演出実行手段（例えば演出制御用ＣＰＵ１２０がステップＳ５５３におけるＹｅｓの判定、ステップＳ５７１、Ｓ５７３、Ｓ５７４におけるＮｏの判定、および、ステップＳ５７５におけるＹｅｓの判定に基づき、ステップＳ５７６、Ｓ５７７の処理を実行した後に、ステップＳ１５２にて飾り図柄変動中処理を実行する部分など）を含んでもよい。
【手続補正１５】
【補正対象書類名】明細書
【補正対象項目名】００２２
【補正方法】変更
【補正の内容】
【００２２】
このような構成においては、第２特定遊技状態制御手段により第２特定遊技状態に制御されたときに、第１特定遊技状態制御手段により制御される第１特定遊技状態における第１期間よりも短い第２期間、および、第１回数よりも少ない第２回数のうち、少なくともいずれかで可変入賞装置を第１状態に変化させる。そして、再可変表示を実行可能な識別情報の可変表示中に成立した始動条件に対応して事前判定手段により第２特定遊技状態に制御される旨の判定がなされたことに基づいて、特別演出実行手段により、その識別情報の可変表示が終了した後に実行される可変表示において再可変表示演出とは異なる所定の演出が実行される。これにより、再可変表示を実行可能な識別情報の可変表示が終了した後でも、第２特定遊技状態に制御されることに対する遊技者の期待感を高めるとともに、第１特定遊技状態に制御されるか第２特定遊技状態に制御されるかに応じた多様な演出を実行可能として、遊技の興趣を向上させることができる。